Podtech/llm-jp-corpus-v4-ja_patent huggingface dataset:
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
放送事業者から放送された放送コンテンツを受信する放送受信機能を有する放送処理部と、ネットワークを介して情報収集サーバと通信を行う通信処理部とを備えた受信端末であって、
前記放送処理部がユーザ操作に応じて受信する放送コンテンツである視聴コンテンツを少なくとも示す視聴情報を収集する情報送信プログラムを処理するプログラム処理部と、
前記放送事業者に割り当てられた専用記憶領域を有する記憶部とを備え、
前記専用記憶領域は、前記放送事業者から放送コンテンツが受信されていない場合に、前記情報送信プログラムのアクセスが制限された記憶領域であり、
前記放送処理部は、所定条件が満たされた場合に、前記放送事業者から放送コンテンツを自動的に受信する自動受信を行い、
前記プログラム処理部は、
前記放送受信機能が前記視聴コンテンツを受信した場合に、前記視聴情報を前記専用記憶領域に格納し、
前記自動受信が行われている間に、前記視聴情報を前記専用記憶領域から読出し、
前記専用記憶領域から読み出された前記視聴情報を前記情報収集サーバに送信するように前記通信処理部に指示することを特徴とする受信端末。
【請求項２】
前記放送処理部は、複数の放送事業者のそれぞれから放送コンテンツを受信し、
前記複数の放送事業者のそれぞれは、前記放送事業者であり、
前記放送処理部は、前記所定条件が満たされた場合に、前記複数の放送事業者から順に放送コンテンツを自動的に受信することを特徴とする請求項１に記載の受信端末。
【請求項３】
受信端末、情報収集サーバ及びプログラム送信サーバを備えた情報収集システムであって、
前記情報収集サーバは、前記受信端末がユーザ操作に応じて受信する放送コンテンツである視聴コンテンツを少なくとも示す視聴情報を前記受信端末から受信し、
前記プログラム送信サーバは、前記視聴情報を収集する情報送信プログラムを前記受信端末に送信し、
前記受信端末は、
放送事業者から放送された放送コンテンツを受信する放送処理部と、
前記情報収集サーバ及び前記プログラム送信サーバとネットワークを介して通信を行う通信処理部と、
前記プログラム送信サーバから受信した情報送信プログラムを処理するプログラム処理部と、
前記放送事業者に割り当てられた専用記憶領域を有する記憶部とを備え、
前記専用記憶領域は、前記放送事業者から放送コンテンツが受信されていない場合に、前記情報送信プログラムのアクセスが制限された記憶領域であり、
前記放送処理部は、所定条件が満たされた場合に、前記放送事業者から放送コンテンツを自動的に受信する自動受信を行い、
前記情報送信プログラムは、
前記放送受信機能が前記視聴コンテンツを受信した場合に、前記視聴情報を前記専用記憶領域に格納し、
前記自動受信が行われている間に、前記視聴情報を前記専用記憶領域から読出し、
前記専用記憶領域から読み出された前記視聴情報を前記情報収集サーバに送信するように前記通信処理部に指示することを特徴とする視聴情報収集システム。
【手続補正２】
【補正対象書類名】明細書
【補正対象項目名】発明の名称
【補正方法】変更
【補正の内容】
【発明の名称】受信端末及び視聴情報収集システム
【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
撮影レンズにより結像された被写体像を光電変換する撮像素子を有する撮像手段と、
前記撮像素子の前方に配置された光学部材と、
前記光学部材の表面に付着した異物の像を含む異物検出用画像から、少なくとも前記異物の位置及び大きさの情報を含む情報である異物情報を検出する異物検出手段と、
動画像撮影が行われるときに、前記撮像手段から連続的に出力される画像信号に基づいて生成される動画像データを記録するとともに、該動画像データに前記異物情報と前記撮影レンズの絞り値の情報と瞳位置の情報とを含むレンズ情報を付加して記録する記録手段と、
動画像撮影中に撮影者の前記撮影レンズに対する操作により、前記レンズ情報が更新された場合に、該更新されたレンズ情報を取得するレンズ情報取得手段と、を備え、
前記レンズ情報取得手段によって前記更新されたレンズ情報を取得した場合に、前記記録手段は、前記更新されたレンズ情報を前記動画像データに付加して記録することを特徴とする撮像装置。
【請求項２】
前記記録手段は、少なくとも１つの前記異物情報を前記動画像データに記録することを特徴とする請求項１に記載の撮像装置。
【請求項３】
前記記録手段は、前記動画像データをフラグメント単位で記録し、前記記録手段は、前記レンズ情報が更新された場合に、新規のフラグメントを作成し、前記更新されたレンズ情報を、前記新規のフラグメントに関連付けて記録することを特徴とする請求項１に記載の撮像装置。
【請求項４】
撮影レンズにより結像された被写体像を光電変換する撮像素子を有する撮像手段と、前記撮像素子の前方に配置された光学部材とを備える撮像装置を制御する方法であって、
前記光学部材の表面に付着した異物の像を含む異物検出用画像から、少なくとも前記異物の位置及び大きさの情報を含む情報である異物情報を検出する異物検出工程と、
動画像撮影が行われるときに、前記撮像手段から連続的に出力される画像信号に基づいて生成される動画像データを記録するとともに、該動画像データに前記異物情報と前記撮影レンズの絞り値の情報と瞳位置の情報とを含むレンズ情報を付加して記録する記録工程と、
動画像撮影中に撮影者の前記撮影レンズに対する操作により、前記レンズ情報が更新された場合に、該更新されたレンズ情報を取得するレンズ情報取得工程と、を備え、
前記レンズ情報取得工程によって前記更新されたレンズ情報を取得した場合に、前記記録工程は、前記更新されたレンズ情報を前記動画像データに付加して記録することを特徴とする撮像装置の制御方法。
【請求項５】
請求項４に記載の制御方法をコンピュータに実行させるためのプログラム。
【手続補正２】
【補正対象書類名】明細書
【補正対象項目名】０００６
【補正方法】変更
【補正の内容】
【０００６】
上述した課題を解決し、目的を達成するために、本発明に係わる撮像装置は、撮影レンズにより結像された被写体像を光電変換する撮像素子を有する撮像手段と、前記撮像素子の前方に配置された光学部材と、前記光学部材の表面に付着した異物の像を含む異物検出用画像から、少なくとも前記異物の位置及び大きさの情報を含む情報である異物情報を検出する異物検出手段と、動画像撮影が行われるときに、前記撮像手段から連続的に出力される画像信号に基づいて生成される動画像データを記録するとともに、該動画像データに前記異物情報と前記撮影レンズの絞り値の情報と瞳位置の情報とを含むレンズ情報を付加して記録する記録手段と、動画像撮影中に撮影者の前記撮影レンズに対する操作により、前記レンズ情報が更新された場合に、該更新されたレンズ情報を取得するレンズ情報取得手段と、を備え、前記レンズ情報取得手段によって前記更新されたレンズ情報を取得した場合に、前記記録手段は、前記更新されたレンズ情報を前記動画像データに付加して記録することを特徴とする。
【手続補正３】
【補正対象書類名】明細書
【補正対象項目名】０００７
【補正方法】変更
【補正の内容】
【０００７】
また、本発明に係わる撮像装置の制御方法は、撮影レンズにより結像された被写体像を光電変換する撮像素子を有する撮像手段と、前記撮像素子の前方に配置された光学部材とを備える撮像装置を制御する方法であって、前記光学部材の表面に付着した異物の像を含む異物検出用画像から、少なくとも前記異物の位置及び大きさの情報を含む情報である異物情報を検出する異物検出工程と、動画像撮影が行われるときに、前記撮像手段から連続的に出力される画像信号に基づいて生成される動画像データを記録するとともに、該動画像データに前記異物情報と前記撮影レンズの絞り値の情報と瞳位置の情報とを含むレンズ情報を付加して記録する記録工程と、動画像撮影中に撮影者の前記撮影レンズに対する操作により、前記レンズ情報が更新された場合に、該更新されたレンズ情報を取得するレンズ情報取得工程と、を備え、前記レンズ情報取得工程によって前記更新されたレンズ情報を取得した場合に、前記記録工程は、前記更新されたレンズ情報を前記動画像データに付加して記録することを特徴とする。
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
撮影レンズによって結像される被写体の像を光電変換して画像信号を生成する撮像素子と、
前記撮像素子の前方に配置された光学素子に付着した異物の少なくとも位置に関する情報である異物情報を検出する異物情報検出手段と、
前記撮像素子により生成された前記被写体の画像信号を分析することにより、前記異物情報検出手段により検出された異物の位置と、前記被写体の所定の領域とが重なるか否かを判定する判定手段と、
前記判定手段により、前記異物の位置と前記所定の領域とが重なると判定される場合には、前記撮像素子上に結像する前記被写体の像と前記撮像素子の相対位置を変更する変更手段と、
を備えることを特徴とする撮像装置。
【請求項２】
前記変更手段は、前記撮影レンズの一部を構成する手振れ補正レンズを変位させることにより、前記被写体の像と前記撮像素子の相対位置を変更することを特徴とする請求項１に記載の撮像装置。
【請求項３】
前記変更手段は、前記撮像素子を変位させることにより、前記被写体の像と前記撮像素子の相対位置を変更することを特徴とする請求項１に記載の撮像装置。
【請求項４】
前記被写体を小領域に分割して各小領域の輝度を検出する輝度分布検出手段をさらに備え、前記輝度分布検出手段によって検出される前記異物の位置の近傍の領域における輝度に基づいて、前記判定手段は前記異物の位置と前記所定の領域とが重なるかどうかを判定することを特徴とする請求項１に記載の撮像装置。
【請求項５】
前記変更手段は、前記異物が前記被写体の低輝度の領域に移動するように、前記被写体の像と前記撮像素子の相対位置を変更することを特徴とする請求項４に記載の撮像装置。
【請求項６】
前記変更手段は、前記異物が前記被写体の均一輝度領域に移動するように、前記被写体の像と前記撮像素子の相対位置を変更することを特徴とする請求項４に記載の撮像装置。
【請求項７】
前記被写体を小領域に分割して各小領域の空間周波数を検出する空間周波数分布検出手段をさらに備え、前記空間周波数分布検出手段によって検出される前記異物の位置の近傍の領域における空間周波数に基づいて、前記判定手段は前記異物の位置と前記所定の領域とが重なるかどうかを判定することを特徴とする請求項１に記載の撮像装置。
【請求項８】
前記変更手段は、前記異物が前記被写体の空間周波数の高い領域に移動するように、前記被写体の像と前記撮像素子の相対位置を変更することを特徴とする請求項７に記載の撮像装置。
【請求項９】
前記変更手段は、前記異物が前記被写体の空間周波数の低い領域に移動するように、前記被写体の像と前記撮像素子の相対位置を変更することを特徴とする請求項７に記載の撮像装置。
【請求項１０】
前記変更手段によって前記撮像素子上に結像する前記被写体の像と前記撮像素子の相対位置を変更した後、前記撮像素子の前記異物の影となる画素の信号を、前記異物の影となる画素の周囲の画素の信号を用いて補間する補間手段をさらに備えることを特徴とする請求項１ないし９のいずれか１項に記載の撮像装置。
【請求項１１】
撮影レンズによって結像される被写体の像を光電変換して画像信号を生成する撮像素子を有する撮像装置を制御する方法であって、
前記撮像素子の前方に配置された光学素子に付着した異物の少なくとも位置に関する情報である異物情報を検出する異物情報検出ステップと、
前記撮像素子により生成された前記被写体の画像信号を分析することにより、前記異物情報検出ステップにより検出された異物の位置と、前記被写体の所定の領域とが重なるか否かを判定する判定ステップと、
前記判定ステップにより、前記異物の位置と前記所定の領域とが重なると判定される場合には、前記撮像素子上に結像する前記被写体の像と前記撮像素子の相対位置を変更する変更ステップと、を備えることを特徴とする撮像装置の制御方法。
【請求項１２】
請求項１１に記載の制御方法をコンピュータに実行させるためのプログラム。
【手続補正２】
【補正対象書類名】明細書
【補正対象項目名】０００８
【補正方法】変更
【補正の内容】
【０００８】
上述した課題を解決し、目的を達成するために、本発明に係わる撮像装置は、撮影レンズによって結像される被写体の像を光電変換して画像信号を生成する撮像素子と、前記撮像素子の前方に配置された光学素子に付着した異物の少なくとも位置に関する情報である異物情報を検出する異物情報検出手段と、前記撮像素子により生成された前記被写体の画像信号を分析することにより、前記異物情報検出手段により検出された異物の位置と、前記被写体の所定の領域とが重なるか否かを判定する判定手段と、前記判定手段により、前記異物の位置と前記所定の領域とが重なると判定される場合には、前記撮像素子上に結像する前記被写体の像と前記撮像素子の相対位置を変更する変更手段と、
を備えることを特徴とする。
【手続補正３】
【補正対象書類名】明細書
【補正対象項目名】０００９
【補正方法】変更
【補正の内容】
【０００９】
また、本発明に係わる撮像装置の制御方法は、撮影レンズによって結像される被写体の像を光電変換して画像信号を生成する撮像素子を有する撮像装置を制御する方法であって、前記撮像素子の前方に配置された光学素子に付着した異物の少なくとも位置に関する情報である異物情報を検出する異物情報検出ステップと、前記撮像素子により生成された前記被写体の画像信号を分析することにより、前記異物情報検出ステップにより検出された異物の位置と、前記被写体の所定の領域とが重なるか否かを判定する判定ステップと、前記判定ステップにより、前記異物の位置と前記所定の領域とが重なると判定される場合には、前記撮像素子上に結像する前記被写体の像と前記撮像素子の相対位置を変更する変更ステップと、を備えることを特徴とする。
【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
被写体像を撮像する撮像素子と、該撮像素子の前方に配置された光学部材とを備える撮像手段から出力された、前記光学部材の表面に付着した異物の影が写り込んだ動画像データを再生する画像処理装置であって、
前記撮像手段から出力された動画像データを入力する入力手段と、
前記撮像手段において前記動画像データに付加された前記異物の位置と大きさの情報を含む異物情報を、前記動画像データから取得する取得手段と、
前記動画像データを再生する際に、前記取得手段により取得された前記異物情報を用いて前記動画像データの前記異物の影を補正して再生することが可能な再生手段と、
前記再生手段で再生される前記動画像データのフレームのデータサイズに応じて、当該フレームの異物の影を補正する処理を行うか否かを選択する選択手段と、
を備えることを特徴とする画像処理装置。
【請求項２】
前記選択手段は、前記取得手段により取得された前記異物情報に基づいて、一定以上の大きさと判断された異物については、前記動画像データのフレームのデータサイズに関わらず、異物の影を補正する処理を行う選択をすることを特徴とする請求項１に記載の画像処理装置。
【請求項３】
前記選択手段は、前記取得手段により取得された前記異物情報に基づいて、予め指定された領域にあると判断された異物については、前記動画像データのフレームのデータサイズに関わらず、異物の影を補正する処理を行う選択をすることを特徴とする請求項１に記載の画像処理装置。
【請求項４】
前記選択手段は、前記取得手段により取得された前記異物情報に基づいて、異物が一定の数以上ある場合には、異物の影を補正する処理を行うか否かの判断基準を変化させることを特徴とする請求項３に記載の画像処理装置。
【請求項５】
前記選択手段は、前記再生手段により得られる動きベクトルのベクトル値が一定値以上の場合は、前記動画像データのフレームのデータサイズに関わらず、異物の影を補正する処理を行わない選択をすることを特徴とする請求項１に記載の画像処理装置。
【請求項６】
被写体像を撮像する撮像素子と、該撮像素子の前方に配置された光学部材とを備える撮像手段から出力された、前記光学部材の表面に付着した異物の影が写り込んだ動画像データを再生する画像処理装置を制御する方法であって、
前記撮像手段から出力された動画像データを入力する入力工程と、
前記撮像手段において前記動画像データに付加された前記異物の位置と大きさの情報を含む異物情報を、前記動画像データから取得する取得工程と、
前記動画像データを再生する際に、前記取得工程において取得された前記異物情報を用いて前記動画像データの前記異物の影を補正して再生することが可能な再生工程と、
前記再生工程で再生される前記動画像データのフレームのデータサイズに応じて、当該フレームの異物の影を補正する処理を行うか否かを選択する選択工程と、
を備えることを特徴とする画像処理装置の制御方法。
【請求項７】
請求項６に記載の制御方法をコンピュータに実行させるためのプログラム。
【請求項８】
被写体像を撮像する撮像素子と、該撮像素子の前方に配置された光学部材とを備える撮像手段から出力された、前記光学部材の表面に付着した異物の影が写り込んだ動画像データを再生する画像処理装置であって、
前記撮像手段における前記異物の位置と大きさの情報を含む異物情報を取得する取得手段と、
前記取得手段により取得された前記異物情報を用いて前記動画像データの前記異物の影を補正して再生することが可能な再生手段と、
前記動画像データの該当フレームの異物の影を補正する処理を行うか否かを選択する選択手段と、を備え、
前記選択手段は、前記動画像データの動きベクトルのベクトル値が一定値以上の場合は、異物の影を補正する処理を行わない選択をする
ことを特徴とする画像処理装置。
【手続補正２】
【補正対象書類名】明細書
【補正対象項目名】００６１
【補正方法】変更
【補正の内容】
【００６１】
また、本発明に関わる画像処理装置の制御方法は、被写体像を撮像する撮像素子と、該撮像素子の前方に配置された光学部材とを備える撮像手段から出力された、前記光学部材の表面に付着した異物の影が写り込んだ動画像データを再生する画像処理装置を制御する方法であって、前記撮像手段から出力された動画像データを入力する入力工程と、前記撮像手段において前記動画像データに付加された前記異物の位置と大きさの情報を含む異物情報を、前記動画像データから取得する取得工程と、前記動画像データを再生する際に、前記取得工程において取得された前記異物情報を用いて前記動画像データの前記異物の影を補正して再生することが可能な再生工程と、前記再生工程で再生される前記動画像データのフレームのデータサイズに応じて、当該フレームの異物の影を補正する処理を行うか否かを選択する選択工程と、を備えることを特徴とする。
また、本発明に関わる画像処理装置は、被写体像を撮像する撮像素子と、該撮像素子の前方に配置された光学部材とを備える撮像手段から出力された、前記光学部材の表面に付着した異物の影が写り込んだ動画像データを再生する画像処理装置であって、前記撮像手段における前記異物の位置と大きさの情報を含む異物情報を取得する取得手段と、前記取得手段により取得された前記異物情報を用いて前記動画像データの前記異物の影を補正して再生することが可能な再生手段と、前記動画像データの該当フレームの異物の影を補正する処理を行うか否かを選択する選択手段と、を備え、前記選択手段は、前記動画像データの動きベクトルのベクトル値が一定値以上の場合は、異物の影を補正する処理を行わない選択をすることを特徴とする。
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
複数のチャンネルのデジタル画像データを取り込むインタフェースと、
前記インタフェースを介して、チャンネル毎に入力される、少なくとも２種のデジタル圧縮された画像データを復号する複数の復号器と、
前記複数の復号器に対応し、対応する前記復号器から出力された少なくとも２種の画像データを各々保持する複数のメモリと、
前記複数の復号器に対応し、対応する前記復号器の復号時の動き情報により注目領域を各々生成する複数の注目領域生成部と、
前記複数の注目領域生成部に対応し、対応する前記注目領域生成部で注目領域が生成された場合に、対応する前記メモリの中に存在する２種以上の画像データから１つを選択し、前記注目領域に該当する画像を切り出して注目領域画像を生成し、他の画像データ上に各々合成させる複数の注目領域合成部と、
前記複数のメモリ及び前記複数の注目領域合成部から出力される画像データを合成して出力する合成部と、
を備えた画像復号・表示装置。
【請求項２】
前記注目領域合成部の代わりに、対応する前記注目領域生成部で生成された注目領域に該当する画像を切り出して注目領域画像を生成し、対応する前記メモリの中に存在する他の画像データと関連付けて各々画像を生成する複数の注目画像形成部を備える請求項１に記載の画像復号・表示装置。
【請求項３】
請求項１又は請求項２に記載の画像復号・表示装置と、
少なくとも２種のデジタル圧縮された画像を前記画像復号・表示装置に出力する複数のカメラと、
前記画像復号・表示装置から出力される画像データを表示する表示端末と、
を備えた監視システム。
【請求項４】
デジタル圧縮された画像データを復号し、復号した画像の表示を行う画像復号・表示方法であって、
チャンネル毎に、少なくとも２種のデジタル圧縮された画像データを復号する復号ステップと、
復号時の動き情報により注目領域を生成する注目領域生成ステップと、
前記注目領域が生成された場合に、前記２種以上の画像データから１つを選択し、前記注目領域に該当する画像を切り出して注目領域画像を生成し、他の画像データ上に合成させる注目領域合成ステップと、
注目領域合成された画像データを表示させる表示ステップと、
を有する画像復号・表示方法。
【手続補正２】
【補正対象書類名】明細書
【補正対象項目名】０００７
【補正方法】変更
【補正の内容】
【０００７】
本発明の画像復号・表示装置は、複数のチャンネルのデジタル画像データを取り込むインタフェースと、前記インタフェースを介して、チャンネル毎に入力される、少なくとも２種のデジタル圧縮された画像データを復号する複数の復号器と、前記複数の復号器に対応し、対応する前記復号器から出力された少なくとも２種の画像データを各々保持する複数のメモリと、前記複数の復号器に対応し、対応する前記復号器の復号時の動き情報により注目領域を各々生成する複数の注目領域生成部と、前記複数の注目領域生成部に対応し、対応する前記注目領域生成部で注目領域が生成された場合に、対応する前記メモリの中に存在する２種以上の画像データから１つを選択し、前記注目領域に該当する画像を切り出して注目領域画像を生成し、他の画像データ上に各々合成させる複数の注目領域合成部と、  前記複数のメモリ及び前記複数の注目領域合成部から出力される画像データを合成して出力する合成部と、を備えた。
【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
デジタル無線伝送の伝送状態に関する情報を表示する伝送状態表示装置において、
前記デジタル無線伝送で伝送される信号のコンスタレーションにおけるデータシンボルの点と理想的なコンスタレーションにおけるデータシンボルの基準点との間の距離に基づいて、当該伝送される複数の信号のコンスタレーションの評価値を算出する評価値算出手段と、
前記評価値算出手段により算出された複数の評価値を、前記基準点からの距離の分布として表示する表示手段と、
を備えたことを特徴とする伝送状態表示装置。
【請求項２】
請求項１に記載の伝送状態表示装置において、
前記評価値算出手段は、前記理想的なコンスタレーションにおけるデータシンボルの複数の基準点について、当該基準点間の距離をＬとし、前記伝送される信号のコンスタレーションにおけるデータシンボルの点と当該データシンボルの点に最も近い前記理想的なコンスタレーションにおけるデータシンボルの基準点との距離をｄとし、当該距離ｄの最大値を最大誤差Ｍｄとし、コンスタレーションにおけるデータシンボル同士の干渉に対する余裕度を表す評価値として、Ｌ／２と最大誤差Ｍｄとの差によりコンスタレーションの余裕値Ｄを算出し、
前記表示手段は、前記評価値算出手段により算出された余裕値Ｄを表示する
ことを特徴とする伝送状態表示装置。
【請求項３】
請求項１に記載の伝送状態表示装置において、
前記評価値算出手段は、前記理想的なコンスタレーションにおけるデータシンボルの基準点について、前記伝送される信号のコンスタレーションにおけるデータシンボルの点と当該データシンボルの点に最も近い前記理想的なコンスタレーションにおけるデータシンボルの基準点との距離をｄとし、データシンボル群の散らばりを表す評価値として、当該距離ｄを平均化した平均誤差Ｅを算出し、
前記表示手段は、前記評価値算出手段により算出された平均誤差Ｅを表示する
ことを特徴とする伝送状態表示装置。
【請求項４】
請求項１乃至３のいずれか１項に記載の伝送状態表示装置において、
前記表示手段は、前記評価値の数値、前記評価値のグラフ、前記評価値の時間的な経緯の少なくとも１つを表示することを特徴とする伝送状態表示装置。
【請求項５】
請求項１乃至４のいずれか１項に記載の伝送状態表示装置において、
デジタル無線伝送で伝送される信号を受信する回転受信アンテナを制御する操作端末を備えたシステムに適用され、
前記表示手段は、当該操作端末の画面に前記評価値を表示することを特徴とする伝送状態表示装置。
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
表示素子に表示される画像を、接眼光学系を介して観察する覗き込み式電子ビューファインダを備える画像表示装置であって、
前記電子ビューファインダにおける視野角及び位置を設定する視野角設定部と、
前記設定された視野角に基づいて前記表示素子上での画像の大きさを設定して、前記設定された大きさに基づいて画像を生成し、前記表示素子の表示可能範囲のうち一部又は全部に前記生成された画像を前記表示素子に表示させる画像生成部と、
を備えることを特徴とする画像表示装置。
【請求項２】
前記視野角設定部は、前記表示素子に表示される画像の視野率を設定することを特徴とする請求項１に記載の画像表示装置。
【請求項３】
前記画像生成部は、前記接眼光学系の光学性能情報を予め記憶し、前記画像を生成するときに、前記記憶された光学性能情報に基づいて前記画像を補正する補正演算部を備え、
前記光学性能情報は、前記接眼光学系のディストーション、シェーディング及び色収差のうち少なくとも一つを含み、
前記補正演算部は、前記画像を生成するときに、前記画像のエッジ及び輝度のうち少なくとも一つについて強調補正することを特徴とする請求項１又は２に記載の画像表示装置。
【手続補正２】
【補正対象書類名】明細書
【補正対象項目名】０００１
【補正方法】変更
【補正の内容】
【０００１】
本発明は、接眼光学系を介して画像を観察する覗き式電子ビューファインダを備えた画像表示装置、撮像装置及び表示方法に関する。
【手続補正３】
【補正対象書類名】明細書
【補正対象項目名】００１７
【補正方法】変更
【補正の内容】
【００１７】
本発明の一実施態様によると、表示素子に表示される画像を、接眼光学系を介して観察する覗き込み式電子ビューファインダを備える画像表示装置であって、前記電子ビューファインダにおける視野角及び位置を設定する視野角設定部と、設定された視野角に基づいて前記表示素子上での画像の大きさを設定して、前記設定された大きさに基づいて画像を生成し、表示素子の表示可能範囲のうち一部又は全部に生成された画像を表示素子に表示させる画像生成部と、を備えることを特徴とする。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２７
【補正方法】変更
【補正の内容】
【００２７】
ＡＦ機構１０２は、撮像レンズ系１０１を駆動して、フォーカスを調節する。また、撮像レンズ系１０１がパワーズーム可能なズームレンズ系である場合には、このＡＦ機構１０２がズーム調節を行ってもよい。
【手続補正７】
【補正対象書類名】明細書
【補正対象項目名】００３９
【補正方法】変更
【補正の内容】
【００３９】
表示部（ＬＣＤ）１２０は、接眼光学系を介すことなく、ユーザが直接表示素子に表示される画像を観察する、いわゆる背面液晶である。このＬＣＤ１２０は、表示駆動部１２１と表示素子１２２とを含んで構成される。
【手続補正８】
【補正対象書類名】明細書
【補正対象項目名】００５６
【補正方法】変更
【補正の内容】
【００５６】
撮像回路１０６は、撮像素子１０５によって変換された電気信号をアナログ画像信号に変換する。Ａ／Ｄ変換回路１０７は、このアナログ画像信号をデジタル画像信号に変換する。変換されたデジタル画像信号は、一旦、バッファメモリ１１５に記憶される。
【手続補正９】
【補正対象書類名】明細書
【補正対象項目名】００８０
【補正方法】変更
【補正の内容】
【００８０】
視野角の設定指示があると判定した場合は、ＥＶＦ制御部１００ｂは、操作部１３０の画面位置設定部１３０ａにおいてユーザにより入力された視野角を検出する（Ｓ１２）。
【手続補正書】
【提出日】平成23年6月17日(2011.6.17)
【手続補正１】
【補正対象書類名】特許請求の範囲
【補正対象項目名】請求項７
【補正方法】変更
【補正の内容】
【請求項７】
前記不純物元素は基板中で導電型を決定する不純物元素である、請求項１から６のいずれか１項に記載の元素分析方法。
【手続補正書】
【提出日】平成23年6月24日(2011.6.24)
【手続補正１】
【補正対象書類名】明細書
【補正対象項目名】０００２
【補正方法】変更
【補正の内容】
【０００２】
従来のプローブ装置は、例えば図６に示すように、互いに隣接するローダ室１及びプローバ室２を備えている。ローダ室１は、複数枚の半導体ウエハＷをカセット単位で収納するカセット収納部と、カセットから半導体ウエハＷを一枚ずつ搬出入するウエハ搬送機構と、ウエハ搬送機構によって半導体ウエハＷを搬送する間に半導体ウエハＷをプリアライメントするプリアライメント機構と、を備えている。プローバ室２は、半導体ウエハＷを保持しＸ、Ｙ、Ｚ及びθ方向で移動可能に構成された載置台３と、この載置台３上に載置された半導体ウエハＷに形成された複数のデバイスの電極パッドに接触する複数のプローブ４Ａを有するプローブカード４と、このプローブカード４をカードホルダ（図示せず）を介して固定する固定機構５と、プローブカード４とテストヘッドＴとを電気的に接続する接続リング６と、を備え、制御装置の制御下でテストヘッドＴ、接続リング６及びプローブカード４を介して図示しないテスタと半導体ウエハＷに形成された各デバイスの電極パッドとの間でテスト信号を送受信して各デバイスの電気的特性検査を行なうように構成されている。尚、図６において、７は載置台３と協働して半導体ウエハＷとプローブカード４との位置合わせを行うアライメント機構で、７Ａは上カメラ、７Ｂは下カメラであり、８はプローブカード４の固定機構５が装着されたヘッドプレートである。
【手続補正２】
【補正対象書類名】明細書
【補正対象項目名】００２６
【補正方法】変更
【補正の内容】
【００２６】
然る後、載置台２０がＸ、Ｙ、Ｚ方向及びθ方向に移動し、この間に半導体ウエハＷとプローブカードがアライメント機構を介してアライメントされた後、載置台２０がプローブカードの下方の所定の位置に達する。この位置で、載置体２２が昇降駆動機構２３を介して上昇し、半導体ウエハＷとプローブカードの複数のプローブが電気的に接触した後、複数のプローブを介して半導体ウエハＷの電気的特性を行う。この際、載置体２２には従来のように貫通孔がないため、載置体２２の下面側から載置面側に電磁波が漏洩することがなく、電気的ノイズを生じることがなく、信頼性の高い検査を高精度に行うことができる。また、載置体２２には従来のように昇降ピンや貫通孔がなく、しかも絶縁性及び耐熱性のある２本の線材１１によって半導体ウエハＷを受け渡すため、載置体２２において放電することがなく、半導体ウエハＷのデバイスやプローブを損傷することがない。また、車載用デバイスのように高温検査を行い場合においても、載置体２２には貫通孔がないためヒートスポットを生じることなく半導体ウエハＷ全面を均一に冷却することができるため、信頼性の高い検査を高精度に行うことができる。
【手続補正３】
【補正対象書類名】明細書
【補正対象項目名】００２８
【補正方法】変更
【補正の内容】
【００２８】
また、本実施形態によれば、載置台２０は、載置台本体２１と、載置台本体２１に対して昇降する載置体２２と、載置体２２を載置台本体２１に対して昇降させる昇降駆動機構２３と、を有し、且つ、載置台本体２１は２対の支持体１２を下端で係止する係止台１６を有すると共に載置体２２は各支持体１２をそれぞれ昇降案内する昇降ガイド機構１５を有するため、昇降ガイド機構１５によって半導体ウエハＷを高精度に昇降させ、載置体２２の載置面の同一場所に正確に載置することができる。
【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
半導体基板の上に第１の金属配線層が配され、前記第１の金属配線層の上に第２の金属配線層が配され、前記半導体基板が、少なくとも光電変換素子と増幅トランジスタとを含む複数の画素が複数の画素行および複数の画素列を構成するように配置された画素領域を有し、前記第２の金属配線層の上方から光が入射するように構成された光電変換装置において、
前記第２の金属配線層は、画素列に沿って延びた複数の電源線を含み、各電源線は、２以上の画素列の画素の前記増幅トランジスタに電源を供給するように配置され、前記電源線が配置されていない画素列の画素の前記増幅トランジスタには、前記電源線から前記第１の金属配線層に配置された配線を介して電源が供給されることを特徴とする光電変換装置。
【請求項２】
前記第２の金属配線層に配置された前記電源線は、２つの画素列に対して１本又は４つの画素列に対して１本の割合で配置されていることを特徴とする請求項１に記載の光電変換装置。
【請求項３】
前記第２の金属配線層は、前記電源線が配置されていない画素列に、前記画素領域にウェルコンタクトをとるための接地線を含む、ことを特徴とする請求項１又は２に記載の光電変換装置。
【請求項４】
前記増幅トランジスタは複数の画素の信号を増幅することを特徴とする請求項１乃至３のいずれか１項に記載の光電変換装置。
【請求項５】
前記第２の金属配線層は、前記増幅トランジスタからの信号を読み出すための信号線を含み、前記電源線が配置されている画素列においては前記電源線と前記信号線との中間に前記画素の端部が位置し、前記電源線が配置されていない画素列においては平面視において前記信号線が配置されている領域に前記画素の端部が位置することを特徴とする請求項１乃至４のいずれか１項に記載の光電変換装置。
【手続補正書】
【提出日】平成22年12月9日(2010.12.9)
【手続補正１】
【補正対象書類名】特許請求の範囲
【補正対象項目名】請求項１２
【補正方法】変更
【補正の内容】
【請求項１２】
請求項１、請求項２、請求項３、請求項４、請求項５、請求項６、請求項７、請求項８において、プレイタイミング信号により表示や音声の出力を制御する工程或いは出力制御手段は、プレイタイミング信号により表現出力手段へ音声発生出力する受信音声信号の有無を制御或いはブザーの所定時間の所定音の発生を制御することを特徴とする請求項１に記載のスポーツの映像を撮影し音声を検出しスポーツの映像を撮影した撮像信号と音声を検出した音声信号を含むテレビ放送信号を送信し送信されたテレビ放送信号を受信し受信信号から受信映像信号と受信音声信号を抽出し受信映像信号を表示出力或いは受信音声信号を音声出力する方法、および、請求項２に記載のスポーツの映像を撮影し音声を検出しスポーツの映像を撮影した撮像信号と音声を検出した音声信号を含むテレビ放送信号を送信し受信装置でテレビ放送信号を受信し受信信号から受信映像信号と受信音声信号を抽出し受信映像信号を受信装置表示部へ表示出力或いは受信音声信号を受信装置音声発生部へ音声出力するシステム、および、請求項３に記載のスポーツの映像と音声を含むテレビ放送信号を受信し受信映像信号と受信音声信号を抽出し受信映像信号を表示出力或いは受信音声信号を音声出力する方法、および、請求項４に記載のスポーツの映像と音声を含むテレビ放送信号を受信し受信映像信号と受信音声信号を抽出し受信映像信号を受信装置表示部へ表示出力或いは受信音声信号を受信装置音声発生部へ音声出力する装置、および、請求項５に記載のスポーツの映像と音声を含むテレビ放送信号を受信し受信映像信号を抽出し受信映像を記憶手段に記憶し受信映像を携帯電話通信網やインターネットを使用して他の端末装置に送信する方法、および、請求項６に記載のスポーツの映像と音声を含むテレビ放送信号を受信し受信映像信号を抽出し受信映像を記憶手段に記憶し受信映像を携帯電話通信網やインターネットを使用して他の端末装置に送信する装置、および、請求項７に記載のスポーツの映像と音声を含むテレビ放送送信信号を受信し受信映像情報を記録情報として記録し記録情報を記録映像情報として再生出力し記録映像情報を表現出力する方法、および、請求項８に記載のスポーツの映像と音声を含むテレビ放送送信信号を受信し受信映像信号を抽出し受信映像情報を記録情報として記録し記録情報を記録映像情報として再生出力し記録映像情報を表現出力するテレビ受信記録再生装置。
【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
プロセッサおよび観察装置を含むシステムにおいて、患者のＧＩ管における炎症の変化を判断する方法であって、前記方法は、前記プロセッサにより、
ＧＩ管の一連の画像を受信すること、
前記一連の画像を複数の部位に分割すること、
各部位から少なくとも一つの画像に対する、粘膜の障害を規定する少なくとも一つのパラメータに関するスコアを受信すること、
前記スコアを組み合わせて最終スコアを得ること、
前記最終スコアを前記観察装置に表示すること
を備える方法。
【請求項２】
前記一連の画像は小腸の画像を含む、請求項１に記載の方法。
【請求項３】
前記一連の画像を分割することは、３部位に前記一連の画像を分割することを含む、請求項１に記載の方法。
【請求項４】
スコアを受信することは、数値と、長手方向の広がりと、分布パターンと、形状と、大きさと、横断面とから成る組から選択される一つ以上の因子に対する値を受信することを含む、請求項１に記載の方法。
【請求項５】
前記少なくとも一つの画像のサムネイルを生成することを含む、請求項１に記載の方法。
【請求項６】
レポートを生成することを備え、前記レポートは前記サムネイルと前記最終スコアとを含む、請求項５に記載の方法。
【請求項７】
患者のＧＩ管粘膜を判断するためのシステムであって、
前記患者のＧＩ管の少なくとも一つの画像を表示するためのディスプレイと、
前記画像のスコアを受け入れ、前記画像の前記スコアに基づいて最終スコアを計算するためのプロセッサと、
を備え、前記画像の前記スコアは粘膜の状態を規定するパラメータの値を含む、システム。
【請求項８】
前記ディスプレイは前記画像の経過時間を示す時間バーを含む、請求項７に記載のシステム。
【請求項９】
前記患者のＧＩ管の画像ストリームを複数の部位に分割するプロセッサを備える、請求項７に記載のシステム。
【請求項１０】
レポートを生成するためのプロセッサを備え、前記レポートは前記画像のスコアの組み
合わせを含む、請求項７に記載のシステム。
【請求項１１】
前記レポートは前記画像のサムネイルを含む、請求項１０に記載のシステム。
【請求項１２】
粘膜の状態を規定する前記パラメータは、ウィルスの出現と、剥離した粘膜と、潰瘍と、狭窄から成る組から選択される、請求項７に記載のシステム。
【請求項１３】
撮像デバイスを備える可飲カプセルと、
前記可飲カプセルから画像データを受信するための受信器と
を備える、請求項７に記載のシステム。
【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
センサノードと、上記センサノードから送信されるデータを処理する管理サーバとからなる注目度測定可視化システムであって、
上記センサノードは、赤外線を用いて固有の識別子を発する赤外線発信部と、加速度データを取得する加速度センサと、評価対象に設けられた赤外線発信器の発するあるいは他のセンサノードの携帯者との対面による他のセンサノードに設けられた赤外線発信部の発する赤外線データを取得する赤外線センサと、上記加速度データ及び上記赤外線データを上記管理サーバに送信する情報送信部と、を有し、
上記管理サーバは、上記加速度データ及び上記赤外線データを受信する情報受信部と、上記加速度データ及び上記赤外線データに基づいて上記評価対象の注目度を算出する注目度算出部と、を有する注目度測定システム。
【請求項２】
請求項１に記載の注目度測定システムにおいて、
上記管理サーバは、上記赤外線データから上記センサノードの携帯者が対面した評価対象を特定する評価対象特定部と、上記赤外線データから上記センサノードの携帯者と他のセンサノードの携帯者との対面情報を検出する対面者識別部と、上記加速度データから上記センサノードの携帯者の活発度を測定する動作識別部と、上記対面情報及び上記活発度に基づいて対面時の活発度を算出する活発度評価部と、をさらに有し、
上記注目度算出部は、上記対面時の活発度に基づいて上記特定された評価対象の注目度を算出する注目度測定システム。
【請求項３】
請求項２に記載の注目度測定システムにおいて、
上記センサノードは、音声データを取得する音声センサをさらに有し、
上記管理サーバは、上記音声データから上記センサノードの携帯者が発話したか否かを検出する発言識別部をさらに有し、
上記活発度評価部は、上記発言識別部の検出結果を用いて上記対面時の活発度を算出する注目度測定システム。
【請求項４】
請求項３に記載の注目度測定システムにおいて、
上記発言識別部は、上記音声データから上記センサノードの携帯者の発話内容を分析し、
上記活発度評価部は、上記発話内容の分析結果に基づいて上記対面時の活発度を算出する注目度測定システム。
【請求項５】
請求項１に記載の注目度測定システムにおいて、
上記評価対象は複数存在し、上記注目度算出部は複数の上記評価対象それぞれの注目度を算出し、
上記管理サーバは、注目度表示部をさらに有し、
上記注目度表示部は、上記複数の評価対象の注目度をその値の大小関係に基づいて表形式で表示する注目度測定システム。
【請求項６】
請求項１に記載の注目度測定システムにおいて、
上記センサノードは、時刻情報を保持しており、上記加速度データ及び赤外線データに時刻を付与し、
上記管理サーバは、注目度表示部をさらに有し、
上記注目度表示部は、上記付与された時刻を参照して、複数存在する上記評価対象ごとの注目度を所定の時間帯における所定の時間間隔の推移系列として求め、一つあるいは複数の評価対象の注目度を、上記推移系列を示す折れ線グラフあるいは棒グラフの形式で表示する注目度測定システム。
【請求項７】
請求項１に記載の注目度測定システムにおいて、
上記評価対象は、特定の領域内に固定された評価対象物であって、
上記評価対象物の一に対応して、上記評価対象物を映すカメラが設置されており、
上記注目度算出部により注目度が高いと判定された評価対象物を映すカメラの映像を優先して表示する表示部をさらに有する、注目度測定システム。
【請求項８】
請求項１に記載の注目度測定システムにおいて、
上記注目度測定システムは複数の携帯者によって装着される複数の上記センサノードを有し、
上記複数の携帯者の一は上記評価対象を説明する者であり、
上記複数の携帯者の別の一は上記評価対象の説明を受ける者である注目度測定システム。
【請求項９】
センサノードと接続して送信されるデータを処理して評価対象の注目度を測定する注目度測定サーバであって、
情報受信部と、注目度算出部とを有し、
上記情報受信部は、上記センサノードが他のセンサノードまたは上記評価対象と対面したことを示す対面情報と、上記センサノードに設けられた加速度センサによって計測される加速度情報を受信し、
上記注目度算出部は、上記対面情報及び上記加速度情報に基づいて上記評価対象の注目度を算出する注目度測定サーバ。
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
上位のホストから配信される情報を電文により下位のユーザ端末に配信する情報配信システムであって、
前記ホストから配信される電文を受信し、それぞれ予め設定された処理対象の電文について送信電文編集処理を行い、下位にデータを送信電文として送信処理する受信サーバを複数台設け、
前記複数の受信サーバから送信された電文を受信し、送信電文に管理通番を付して下位に送信処理する最終段サーバを設けたことを特徴とする情報配信システム。
【請求項２】
複数の上位のホストから配信される情報を電文により最下位のユーザ端末に配信する情報配信システムであって、
複数の前記ホストから配信される電文を受信し、予め設定された処理対象の電文について送信電文編集処理を行い、処理対象外の電文を破棄し、送信電文編集処理を行ったデータについて送信キューに待ちの同一銘柄のデータがある場合に間引き処理を行い、下位にデータを送信電文として送信処理する受信サーバを複数台設け、複数の受信サーバから送信された全ての電文を受信し、送信キューに待ちの同一銘柄のデータがある場合に間引き処理を行い、送信電文に管理通番を付して下位にマルチキャスト送信処理する最終段サーバを設け、複数の受信サーバに対して受信対象のサーバを変更する指示又は受信対象の銘柄を変更する指示を出力して当該変更を実行させるコンソールを設け、最終段サーバが、ユーザ端末からの管理通番で特定される電文の再送要求を受信すると、該当する電文をユーザ端末に再送する構成としたことを特徴とする情報配信システム。
【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
光ディスクに光を照射する手段と、
前記光ディスクからの反射光を電気信号に変換するセンサと、
前記センサからの信号に基づいて前記光ディスクからの信号の再生が正常に行われているか否かを判別し、前記再生が正常に行われていない場合に、前記センサを制御する制御手段とを備え、
前記制御手段は、前記センサからの信号の振幅が閾値を外れていた場合に、前記センサが前記反射光を電気信号に変換するための感度を変更し、前記センサの感度を変更した状態で前記反射光を電気信号に変換するように前記センサを制御することを特徴とする光ディスク装置。
【請求項２】
前記制御手段は、前記センサからの信号の振幅が予め定められた出力に近くなるように前記センサの感度を変更することを特徴とする請求項１に記載の光ディスク装置。
【請求項３】
前記制御手段は、前記光ディスクのリードインエリアにおける前記センサからの信号の振幅が予め定められた出力に近くなるように前記センサの感度を調整した後、前記センサにより前記光ディスクのエンボス加工エリアにおける反射光を電気信号に変換するように制御し、前記エンボス加工エリアからの信号の再生が正常に行われておらず、前記エンボス加工エリアにおける前記センサからの信号の振幅が前記閾値を外れていた場合に、前記センサの感度を変更することを特徴とする請求項１に記載の光ディスク装置。
【手続補正２】
【補正対象書類名】明細書
【補正対象項目名】発明の名称
【補正方法】変更
【補正の内容】
【発明の名称】光ディスク装置
【手続補正３】
【補正対象書類名】明細書
【補正対象項目名】０００１
【補正方法】変更
【補正の内容】
【０００１】
本発明は光ディスク装置に関し、特に、光ディスク上に物理的に形成されたエンボス部を読み取って光ディスクの種別を特定するために用いて好適な技術に関する。
【手続補正４】
【補正対象書類名】明細書
【補正対象項目名】００１１
【補正方法】変更
【補正の内容】
【００１１】
本発明の光ディスク装置は、光ディスクに光を照射する手段と、前記光ディスクからの反射光を電気信号に変換するセンサと、前記センサからの信号に基づいて前記光ディスクからの信号の再生が正常に行われているか否かを判別し、前記再生が正常に行われていない場合に、前記センサを制御する制御手段とを備え、前記制御手段は、前記センサからの信号の振幅が閾値を外れていた場合に、前記センサが前記反射光を電気信号に変換するための感度を変更し、前記センサの感度を変更した状態で前記反射光を電気信号に変換するように前記センサを制御することを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本発明によれば、受光センサの感度に起因する再生不良を低減させることが可能となる。
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
塩基性官能基を有する有機色素誘導体、塩基性官能基を有するアントラキノン誘導体、塩基性官能基を有するアクリドン誘導体、及び塩基性官能基を有するトリアジン誘導体からなる群から選ばれる１種以上と、酸性官能基を有する樹脂と、負極活物質とを含むことを特徴とする負極合材。
【請求項２】
樹脂の酸性官能基が、カルボキシル基、スルホン酸基、及び燐酸基からなる群から選ばれる１種類以上の酸性官能基である請求項１記載の負極合材。
【請求項３】
酸性官能基を有する樹脂が、
酸性官能基を有するポリフッ化ビニリデン系樹脂（Ａ１）、
分子内に２つの水酸基と１つのチオール基とを有する化合物（ｓ）の存在下、エチレン性不飽和単量体（ｍ）をラジカル重合してなる、片末端に２つの水酸基を有するビニル重合体（ａ）中の水酸基と、テトラカルボン酸二無水物（ｂ）中の酸無水物基とを反応させてなるポリビニル系樹脂（Ａ２）、並びに、
下記一般式（１）：
（ＨＯＯＣ−）m−Ｒ21−（−ＣＯＯ−［−Ｒ23−ＣＯＯ−］n−Ｒ22）t    （１）
〔一般式（１）中、Ｒ21は、４価のテトラカルボン酸化合物残基であり、Ｒ22は、モノアルコール残基であり、Ｒ23は、ラクトン残基であり、ｍは、２又は３であり、ｎは、１〜５０の整数であり、ｔは、（４−ｍ）である。〕
で表されるポリエステル系樹脂（Ａ３）、
からなる群から選ばれる１種類以上の酸性官能基を有する樹脂である請求項１または２記載の負極合材。
【請求項４】
集電体上に正極合材層を有する正極と、集電体上に負極合材層を有する負極と、リチウムを含む電解質とを具備するリチウム二次電池であって、
前記負極合材層が、請求項１ないし３いずれか記載の負極合材を用いて作成されたことを特徴とするリチウム二次電池。
【手続補正２】
【補正対象書類名】明細書
【補正対象項目名】００１２
【補正方法】変更
【補正の内容】
【００１２】
また、本発明は、樹脂の酸性官能基が、カルボキシル基、スルホン酸基、及び燐酸基からなる群から選ばれる１種類以上の酸性官能基である上記負極合材に関する。
更に本発明は、酸性官能基を有する樹脂が、
酸性官能基を有するポリフッ化ビニリデン系樹脂（Ａ１）、
分子内に２つの水酸基と１つのチオール基とを有する化合物（ｓ）の存在下、エチレン性不飽和単量体（ｍ）をラジカル重合してなる、片末端に２つの水酸基を有するビニル重合体（ａ）中の水酸基と、テトラカルボン酸二無水物（ｂ）中の酸無水物基とを反応させてなるポリビニル系樹脂（Ａ２）、並びに、
下記一般式（１）：
（ＨＯＯＣ−）m−Ｒ21−（−ＣＯＯ−［−Ｒ23−ＣＯＯ−］n−Ｒ22）t    （１）
〔一般式（１）中、Ｒ21は、４価のテトラカルボン酸化合物残基であり、Ｒ22は、モノアルコール残基であり、Ｒ23は、ラクトン残基であり、ｍは、２又は３であり、ｎは、１〜５０の整数であり、ｔは、（４−ｍ）である。〕
で表されるポリエステル系樹脂（Ａ３）、
からなる群から選ばれる１種類以上の酸性官能基を有する樹脂である上記負極合材に関する。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】